(57)【特許請求の範囲】
【請求項１】
妊婦の生体電気インピーダンスを測定するインピーダンス測定手段と、
測定したインピーダンス値の経日的な変化を示すインピーダンスの変化と特定の妊娠週数に測定したインピーダンス値を基準として前記測定したインピーダンス値の変化の割合を示すインピーダンスの変化率とが、所定値より低下したときに、浮腫、妊娠中毒症である、またはその程度が悪いと判定する判定手段とを備えた妊婦用健康管理装置であって、
非妊時のＢＭＩ毎にインピーダンスの適正範囲を示す上限値・下限値、並びに前記インピーダンスの変化率の基準たる特定の妊娠週数に測定したインピーダンス値、及び前記インピーダンスの変化率による判定の基準たる、前記特定の妊娠週数に測定したインピーダンス値からの浮腫発現を示す低下率・妊娠中毒症の発現を示す低下率を記憶する記憶手段を更に備え、
前記判定手段は、非妊時のＢＭＩにより、非妊時のＢＭＩ毎にインピーダンスの適正範囲を示す上限値・下限値を切り替えることによって、前記インピーダンスの変化による判定の基準たる前記下限値を切り替えて判定し、及び前記ＢＭＩに基づく判定を行うインピーダンスの変化と前記ＢＭＩに依らず判定を行うインピーダンスの変化率とのマトリックスを用いて妊婦の健康状態を判定することを特徴とする妊婦用健康管理装置。
【請求項２】
前記インピーダンスの変化率の基準たる特定の妊娠週数は、２０週であり、並びに前記インピーダンスの変化率による判定の基準たる、浮腫発現を示す低下率は、前記妊娠週数のインピーダンス値から−１０％であり、及び妊娠中毒症の発現を示す低下率は、前記妊娠週数のインピーダンス値から−２０％であることを特徴とする請求項１記載の妊婦用健康管理装置。
【請求項３】
前記判定手段は、妊婦への健康に関するアドバイスを表示することを特徴とする請求項１又は２に記載の妊婦用健康管理装置。
【請求項４】
前記インピーダンス測定手段は、妊婦の両足間の生体電気インピーダンスを測定することを特徴とする請求項１乃至請求項３のうち何れか一項に記載の妊婦用健康管理装置。
【発明の詳細な説明】
【０００１】
【発明の属する技術分野】
本発明は、妊婦の健康を管理する装置、特に妊婦の浮腫や妊娠中毒症に関する健康管理をする装置に関する。
【０００２】
【従来の技術】
従来妊婦の浮腫の発症に関しては、脛骨稜を親指で押し、圧痕が残るかどうかで判断されてきた。また、妊娠中毒症での浮腫に関しては、一般的に下肢に浮腫が見られ、かつ最近の一週間で５００グラムの体重増加が見られた場合に、軽度の妊娠中毒症と判断され、浮腫が全身に及ぶと重度の妊娠中毒症と判断されていた。
【０００３】
また、妊婦の血圧は、循環血液量の増加に対応した血管拡張により妊娠中期に向けて低下傾向を示し、分娩に向けて上昇する。ところが妊娠中毒症の妊婦では、体内のＮａ貯蔵増加とそれによる浸透圧の維持により血管が収縮し、血圧が上昇する。そして収縮期血圧（以下ＨＢＰという）が１４０ｍｍＨｇ以上及び拡張期血圧（以下ＬＢＰという）が９０ｍｍＨｇ以上になると高血圧と判断されていた。
【０００４】
【発明が解決しようとする課題】
しかし、浮腫の判断は診察した医師の主観に左右されやすく、定量的な判断ができなかった。
【０００５】
また、体重の増加もその日の食事量、排泄量、発汗量等によってばらつきが大きく、５００グラム程度はすぐ変化することが知られている。
【０００６】
また、血圧測定で高血圧の判定はできるものの、これだけでは浮腫等の判断には結びつかなかった。
【０００７】
【課題を解決するための手段】
本発明の１つの観点によれば、妊婦の生体電気インピーダンスを測定するインピーダンス測定手段と、妊娠週数における所定値に対する前記測定したインピーダンスの変化と、特定の妊娠週数のインピーダンスからの前記測定したインピーダンスの変化率との内、少なくとも一方から妊婦の健康状況を判定する判定手段とを備えた妊婦用健康管理装置が提供される。
【０００８】
本発明の一つの実施の形態によれば、前記判定手段は前記測定したインピーダンスの変化と変化率とのマトリックスを用いて判断することを特徴とする。
【００２７】
【発明の実施の形態】
本発明の第一の実施例について図面を用いて説明する。第一の実施例は、妊婦のインピーダンスの変化と特定妊娠週数からのインピーダンスの変化率から妊婦の健康状況を判定するものである。図１は、本発明に関する妊婦用健康管理装置１の外観斜視図であり、大きくは測定部２と表示印刷部３とからなり、測定部２の図示しない台板と表示印刷部３に固定される支柱部４とからなる。この測定部２は、公知の体脂肪計と同様の構成で、内部に体重測定センサーを備え、測定部２の上面に被測定者が乗ることで体重が測定できる構成になっている。また、測定部２の上面には、両足間の生体電気インピーダンスを測定すべく電流供給電極５Ａ、６Ａと、電圧測定電極５Ｂ、６Ｂを備えている。
【００２８】
一方、表示印刷部３は、図２で示す操作部７、入力したデータや結果表示のための表示部８、測定結果を印刷する印刷部９とからなる。
【００２９】
図２の操作部７は、電源スイッチ１０、被測定者の着衣の重量を設定する風袋量設定キー１１、日時を設定するためのキー１２、性別・体型を設定するキー群１３、データ等を設定するためのテンキー１４を備えている。
【００３０】
図３は、妊婦用健康管理装置１の電気ブロック図を示すもので、マイクロコンピュータを備えた制御部１５を備え、この制御部１５に図２の操作部７の各スイッチ、キーが接続され、表示部８、印刷部９も接続される。また、測定部２からは、定電流発生回路１６を介して電流供給電極５Ａ、６Ａが、電圧測定回路１７を介して電圧測定電極５Ｂ、６Ｂが、体重測定センサーがそれぞれ制御回路１５に接続している。さらに、制御回路１５には、各種データを記憶するためのメモリ１８が接続されるほか、妊娠週数等の日時データを発生させる時計回路１９も接続される。なお、電源２０は、各部に電力を供給するものである。
【００３１】
次に本発明の妊婦用健康管理装置１の動作を図４のフローチャートを用いて説明する。最初に電源スイッチ１０をオンすると、ステップＳ１で制御回路１５は、マイクロコンピュータやメモリ１８等を初期化する。次にステップＳ２で日時設定がされているかどうかを判断し、設定されていればステップＳ４に進む。日時が設定されていなければ、ステップＳ３で日時をセットする。この日時設定は、一般の装置で用いられているものと同じであるため、詳細な説明を省略する。
【００３２】
ステップＳ４では、表示部８に「着衣重量、即ち風袋量をテンキー１４から入力し、入力が完了したら風袋量設定キー１１を押して下さい」と表示をする。ここで被測定者がテンキー１４から１．０ｋｇを入力し、風袋量設定キー１１をオンすると、ステップＳ５でＹｅｓと判断され、ステップＳ６に進み、メモリ１８に風袋量を記憶する。ステップＳ５で風袋量設定キー１１がオンされなければ、ステップＳ４に戻り、風袋量の入力を促す表示を繰り返す。
【００３３】
次にステップＳ７では、性別・体型別を設定するキー群１３で被測定者にあったキーをオンするように表示部８に表示する。ここで被測定者が、例えば男性のスタンダードである場合、図２の男性マークの枠内でスタンダードのキーをオンする。すると、ステップＳ８で入力を判断し、ステップＳ９に進み、オンしたキーのデータをメモリ１８に記憶する。ステップＳ８では、キーがオンされるまで、ステップＳ７に戻り、キーのオンを促しつづける。同様にステップＳ１０からステップＳ１２では被測定者の年齢を、ステップＳ１３からステップＳ１５では被測定者の身長を入力し、メモリ１８に記憶する処理を行う。
【００３４】
そしてステップＳ１６では、ステップＳ８でオンしたキーが何であるかを判断し、この場合には男性のスタンダードであるので、Ｎｏと判断され、ステップＳ１７に進む。ステップＳ１７では、被測定者が電流供給電極５Ａ、６Ａにつま先を、電圧測定電極５Ｂ、６Ｂに踵を接して測定部２に乗ったことを確認して測定を開始する。体重の測定は、体重センサーからの出力を制御部１５に取り込み、ステップＳ１８で演算する。一方、インピーダンスは、定電流回路１６から電極５Ａ、６Ａ間に一定電流を流し、電極５Ｂ、６Ｂ間の電圧を電圧測定回路１７で測定し、電流と電圧の関係からインピーダンスをステップＳ１８で演算する。このステップＳ１７では、測定した日時と、被測定者の風袋量を減算した体重値、測定インピーダンス値をメモリ１８に記憶しておく。
【００３５】
ステップＳ１８では、測定した体重から風袋量を減算し、被測定者の体重を演算すると共に、インピーダンスから体脂肪率を、体重に体脂肪率を乗算して体脂肪量を、体重から体脂肪量を減算して除脂肪量を、除脂肪量に平均的体水分率である７３．２％を乗算して体水分量を、身長と体重からＢＭＩ（体格指数）をそれぞれ演算する。そしてこの演算結果は、ステップＳ１９で表示部８に表示すると共に、印刷部９よりプリントアウトする。
【００３６】
図５は、このプリントアウトの例であり、測定時間のほか入力した性別・体型、年齢、身長、等の個人データ、ステップＳ１７及びステップＳ１８で測定・演算した結果を印刷する。
この表示及び印刷の後、ステップＳ４に戻り次のデータ入力を待つ。
【００３７】
上記ステップＳ８でマタニティキーがオンされた場合には、ステップＳ１６でＹｅｓと判断され、ステップＳ２０に進む。ステップＳ２０では、表示部８に出産予定日を入力してくださいと表示し、ステップＳ２１でテンキー１４よりの年月日の入力がなされるまで、ステップＳ２０とＳ２１を繰り返す。予定年月日が入力されると、ステップＳ２１でＹｅｓと判断され、ステップＳ２２で入力された出産予定日と測定日のデータとから妊娠週数を演算し、ステップＳ２３でメモリ１８に記憶する。
【００３８】
そしてステップＳ２４では、表示部８に収縮期血圧を入力してくださいと表示し、ステップＳ２５でテンキー１４より収縮期血圧の入力がなされるまで、ステップＳ２４とＳ２５を繰り返す。収縮期血圧が入力されると、ステップＳ２６で、表示部８に拡張期血圧を入力してくださいと表示し、ステップＳ２６でテンキー１４より拡張期血圧の入力がなされるまで、ステップＳ２６とＳ２７を繰り返す。拡張期血圧が入力されると、ステップＳ２７でＹｅｓと判断され、ステップＳ２５とステップＳ２７で入力された収縮期血圧と拡張期血圧と測定日のデータとをステップＳ２８でメモリ１８に記憶する。
【００３９】
さらにステップＳ２９では、表示部８に非妊時のＢＭＩを入力してくださいと表示し、ステップＳ３０でテンキー１４より非妊時のＢＭＩの入力がなされるまで、ステップＳ２９とＳ３０を繰り返す。非妊時のＢＭＩが入力されると、ステップＳ３０でＹｅｓと判断され、ステップＳ３０で入力された非妊時のＢＭＩのデータをステップＳ３１でメモリ１８に記憶する。なお、このステップでは非妊時のＢＭＩを直接入力したが、これに代わり非妊時の体重を入力し、ステップＳ１４で入力した身長とからＢＭＩを演算してメモリ１８に記憶しても良い。
【００４０】
ステップＳ１６でマタニティモードと判断された場合には、ステップＳ１７の処理は通常の場合と同じであるが、ステップＳ１８でのデータ演算において、特定妊娠週数、例えば妊娠２０週に測定したインピーダンスから今回測定したインピーダンスの変化率を演算し、この演算結果と今回測定したインピーダンスとから妊婦の浮腫レベルをマトリックス的に判断し、判定結果に基づくコメントをメモリ１８から呼び出し、ステップＳ１９で図６で示すような表示を表示器８に表示し、印刷部９からプリントアウトする。この表示・印刷のステップＳ１９が終了すると、ステップＳ４に戻り次のデータ入力を待つ。
【００４１】
上記マタニティの演算において、図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【００４２】
次に特定妊娠週数、例えば妊娠２０週に測定したインピーダンスから今回測定したインピーダンスの変化率は図９に示すようにメモリ１８に記憶してある２０週のインピーダンスの値を基準として、測定したインピーダンスが何％ずれているかを示すもので、ｂで示すラインまでは適正範囲と見做し、それより低下すると浮腫が現れる傾向があると判断され、さらに下のｃのラインに達すると妊娠中毒症の恐れがあると判断される。
【００４３】
上記インピーダンスの変化と変化率とは、単独で浮腫及び妊娠中毒症の判断に使用しても良いが、精度を高めるために図１０で示すようにインピーダンスの変化（Ω変化）とその変化率をマトリックスに配置し、測定結果がマトリックスのどこにあるかによって浮腫及び妊娠中毒症の判断を行うことがよい。図１０のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。
【００４４】
次に、従来技術の組合せを用いた判定例について説明する。この判定例は、妊婦のインピーダンスの変化と体重の変化から妊婦の健康状況を判定するものであり、第一の実施例の図１から８がほぼ共通であり、マタニティモードにおける図４のステップS１８の演算とステップS1９の表示・印刷処理が変わるのみである。このため、共通の部分については説明を省略する。
【００４５】
マタニティモードにおいて、ステップＳ１８においては、まず妊婦のインピーダンスの変化を演算する。すなわち第一実施例と同様に図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【００４６】
一方、妊婦の体重は妊娠週数の増加とともに一般的に増加するものの、一週間に５００ｇ、１Ｋｇ以上増加すると軽度の妊娠中毒症発症の恐れがあるといわれている。このステップＳ１８ではメモリ１８から測定日の一週間前の妊婦体重値を呼び出し、測定した体重値から減算することで一週間の体重増加の値を求める。一週間前の体重値を呼び出すときに、一週間前の体重値が存在しないときにはその前後、またはその前一週間の平均値等を使用しても良い。
【００４７】
上記インピーダンスの変化と体重の変化とは、単独で浮腫及び妊娠中毒症の判断に使用しても良いが、精度を高めるためにメモリ１８に予め記憶してある図１１で示すようにインピーダンスの変化（Ω変化）と体重の変化をマトリックスに配置し、測定結果がマトリックスのどこにあるかによって浮腫及び妊娠中毒症の判断を行うことがよい。図１１ではインピーダンスの変化と体重の変化をマトリックスに配置し、測定結果がマトリックスのどこにあるかによって浮腫及び妊娠中毒症の判断を行うことがよい。図１１のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。そしてステップＳ１９で図１２で示すような表示を表示器８に表示し、印刷部９からプリントアウトする。この表示・印刷のステップＳ１９が終了すると、ステップＳ４に戻り次のデータ入力を待つ。
【００４８】
さらに、従来技術の組合せを用いた別の判定例について説明する。この判定例は、妊婦の特定妊娠週数、例えば妊娠20週に測定したインピーダンスから今回測定したインピーダンスの変化率と体重の変化から妊婦の健康状況を判定するものであり、第一の実施例の図１から図５及び図９がほぼ共通であり、マタニティモードにおける図４のステップS１８の演算とステップS1９の表示・印刷処理が変わるのみである。このため、共通の部分については説明を省略する。
【００４９】
マタニティモードにおいて、ステップＳ１８においては、まず妊婦のインピーダンスの変化率を演算する。すなわち第一実施例と同様に図９で示すように特定妊娠週数、例えば妊娠２０週に測定したインピーダンスから今回測定したインピーダンスの変化率は図９に示すようにメモリ１８に記憶してある２０週のインピーダンスの値を基準として、測定したインピーダンスが何％ずれているかを示すもので、ｂで示すラインまでは適正範囲と見做し、それより低下すると浮腫が現れる傾向があると判断され、さらに下のｃのラインに達すると妊娠中毒症の恐れがあると判断される。
【００５０】
一方、妊婦の体重は妊娠週数の増加とともに一般的に増加するものの、一週間に５００ｇ、１Ｋｇ以上増加すると軽度の妊娠中毒症発症の恐れがあるといわれている。このステップＳ１８ではメモリ１８から測定日の一週間前の妊婦体重値を呼び出し、測定した体重値から減算することで一週間の体重増加の値を求める。一週間前の体重値を呼び出すときに、一週間前の体重値が存在しないときにはその前後、またはその前一週間の平均値等を使用しても良い。
【００５１】
そして妊婦のインピーダンスの変化率と体重の変化は、単独で浮腫及び妊娠中毒症の判断に使用しても良いが、精度を高めるためにメモリ１８に予め記憶してある図１３で示すようにインピーダンスの変化率と体重の変化をマトリックスに配置し、測定結果がマトリックスのどこにあるかによって浮腫及び妊娠中毒症の判断を行うことがよい。図１３のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。
【００５２】
そしてステップＳ１９で図１４で示すような表示を表示器８に表示し、印刷部９からプリントアウトする。この表示・印刷のステップＳ１９が終了すると、ステップＳ４に戻り次のデータ入力を待つ。
【００５３】
さらに、従来技術の組合せを用いた別の判定例について説明する。この判定例は、妊婦のインピーダンスの変化と血圧の変化から妊婦の健康状況を判定するものであり、第一の実施例の図１から図８がほぼ共通であり、マタニティモードにおける図４のステップS１８の演算とステップＳ１９の表示・印刷処理が変わるのみである。このため、共通の部分については説明を省略する。
【００５４】
マタニティモードにおいて、ステップＳ１８においては、まず妊婦のインピーダンスの変化を演算する。すなわち第一実施例と同様に図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【００５５】
一方、妊婦の血圧は妊娠中期に向けて低下傾向を示し、その後分娩に向けて上昇する。しかしＨＢＰが１４０ｍｍＨｇ、またはＬＢＰが９０ｍｍＨｇを越えると妊娠中毒症に伴なう血圧上昇であると判断される。また、ＨＢＰが１６０ｍｍＨｇ、またはＬＢＰが１１０ｍｍＨｇ超えると妊娠中毒の発症が確実視される。
【００５６】
上記インピーダンスの変化及び／または血圧の変化は単独で、またはＨＢＰ、ＬＢＰそれぞれ単独で浮腫及び妊娠中毒症の判断に使用しても良いが、精度を高めるためにメモリ１８に予め記憶してある図１５で示すようにインピーダンスの変化（Ω変化）と血圧の変化をマトリックスに配置し、測定結果がマトリックスのどこにあるかによって浮腫及び妊娠中毒症の判断を行うことがよい。図１５のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。そしてステップＳ１９で図１６で示すような表示を表示器８に表示し、印刷部９からプリントアウトする。この表示・印刷のステップＳ１９が終了すると、ステップＳ４に戻り次のデータ入力を待つ。
【００５７】
なお、妊娠中毒症には、妊娠週数が２８週程度までに発症する早発型とその後に発症する遅発型とがあるが、早発型は血圧の変化が先行して現れるので、図１５において妊娠２８週まででインピーダンスが適正範囲でも血圧が上昇しているときにはアドバイスとして早発型の妊娠中毒症の恐れがあることを表示または／及び印刷するとより良い。また、遅発型は血圧の変化よりインピーダンスの変化が先行して現れるので、図１５において妊娠２８週以降血圧があまり上昇しなくともインピーダンスが急激に低下しているときにはアドバイスとして遅発型の妊娠中毒症の恐れがあることを表示または／及び印刷するとより良い。
【００５８】
さらに、従来技術の組合せを用いた別の判定例について説明する。この判定は、妊婦の特定妊娠週数、例えば妊娠20週に測定したインピーダンスから今回測定したインピーダンスの変化率と、血圧の変化とから妊婦の健康状況を判定するものであり、第一の実施例の図１から図６及び図９がほぼ共通であり、マタニティモードにおける図４のステップS１８の演算とステップS1９の表示・印刷処理が変わるのみである。このため、共通の部分については説明を省略する。
【００５９】
マタニティモードにおいて、ステップＳ１８においては、まず妊婦のインピーダンスの変化率を演算する。すなわち第一実施例と同様に図９で示すように特定妊娠週数、例えば妊娠２０週に測定したインピーダンスから今回測定したインピーダンスの変化率は図９に示すようにメモリ１８に記憶してある２０週のインピーダンスの値を基準として、測定したインピーダンスが何％ずれているかを示すもので、ｂで示すラインまでは適正範囲と見做し、それより低下すると浮腫が現れる傾向があると判断され、さらに下のｃのラインに達すると妊娠中毒症の恐れがあると判断される。
【００６０】
一方、妊婦の血圧は妊娠中期に向けて低下傾向を示し、その後分娩に向けて上昇する。しかしＨＢＰが１４０ｍｍＨｇ、またはＬＢＰが９０ｍｍＨｇを越えると妊娠中毒症に伴なう血圧上昇であると判断される。また、ＨＢＰが１６０ｍｍＨｇ、またはＬＢＰが１１０ｍｍＨｇ超えると妊娠中毒の発症が確実視される。
【００６１】
上記インピーダンスの変化率及び／または血圧の変化は単独で、またはＨＢＰ、ＬＢＰそれぞれ単独で浮腫及び妊娠中毒症の判断に使用しても良いが、精度を高めるためにメモリ１８に予め記憶してある図１７で示すようにインピーダンスの変化率と血圧の変化をマトリックスに配置し、測定結果がマトリックスのどこにあるかによって浮腫及び妊娠中毒症の判断を行うことがよい。図１７ではインピーダンスの変化率と血圧の変化をマトリックスに配置し、測定結果がマトリックスのどこにあるかによって浮腫及び妊娠中毒症の判断を行うことがよい。図１７のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。そしてステップＳ１９で図１８で示すような表示を表示器８に表示し、印刷部９からプリントアウトする。この表示・印刷のステップＳ１９が終了すると、ステップＳ４に戻り次のデータ入力を待つ。
【００６２】
なお、妊娠中毒症には、妊娠週数が２８週程度までに発症する早発型とその後に発症する遅発型とがあるが、早発型は血圧の変化が先行して現れるので、図１７において妊娠２８週まででインピーダンスの変化率が適正範囲でも血圧が上昇しているときにはアドバイスとして早発型の妊娠中毒症の恐れがあることを表示または／及び印刷するとより良い。また、遅発型は血圧の変化よりインピーダンスの変化が先行して現れるので、図１７において妊娠２８週以降血圧があまり上昇しなくともインピーダンスの変化率が急激に低下しているときにはアドバイスとして遅発型の妊娠中毒症の恐れがあることを表示または／及び印刷するとより良い。
【００６３】
なお、本発明の第四及び第五の実施例において、血圧の変化はＨＢＰとＬＢＰの絶対値から妊婦の健康状況を判定したが、非妊時のＨＢＰとＬＢＰとを図４のステップＳ３１の後で入力し、測定されたＨＢＰとＬＢＰとがそれぞれ３０ｍｍＨｇ、１５ｍｍＨｇを超えて増加したときに、第四及び第五実施例と同様に判断して、測定データおよびアドバイスとを表示及び印刷してもよい。
【００６４】
また、上記実施例では、別体の血圧計で測定した値をテンキー１４から操作者が手動で入力したが、図３のブロック図に破線で示したように電子血圧計ＢＰを制御部１５に接続し、測定血圧値が自動的に取り込めるようにすることもできる。
【００６５】
さらに本発明では、インピーダンスの変化や特定妊娠週数からのインピーダンスの変化率を判定の要素として用いたが、インピーダンスの変化や特定妊娠週数からのインピーダンスの変化率から回帰直線を求め、その傾きから浮腫または妊娠中毒症の判定を行っても良い。
【００６６】
さらに本発明は、妊婦の両足間のインピーダンスを測定したが、両手間、手足間、特定部位のインピーダンスを測定しても良い。
【００６７】
【発明の効果】
本発明は、妊婦の生体電気インピーダンスを測定するインピーダンス測定手段と、妊娠週数における所定値に対する前記測定したインピーダンスの変化と、特定妊娠週数のインピーダンスからの前記測定したインピーダンスの変化率とから妊婦の健康状況を判定する判定手段とを備えた妊婦用健康管理装置であり、客観的、定量的に浮腫や妊娠中毒症等の妊婦の健康管理ができる。
【００６８】
また本発明は、判定手段が前記測定したインピーダンスの変化と変化率とのマトリックスを用いて判断するので、精度良く浮腫や妊娠中毒症等の判定ができる。
【００７２】
さらに本発明は、判定手段がアドバイス表示をするものであり、妊婦へのきめ細かいアドバイスができる。
【００７３】
さらに本発明は、浮腫が出やすい両足間で測定するので、早い時期に浮腫や妊娠中毒症等を発見できる。
【図面の簡単な説明】
【図１】  本発明の第一実施例の外観斜視図である。
【図２】  本発明の第一実施例の表示印刷部を示す図である。
【図３】  電気ブロック図である。
【図４】  第一実施例のフローチャートである。
【図５】  マタニティ以外の表示例を示す図である。
【図６】  マタニティの表示例を示す図である。
【図７】  非妊時のBMI別のインピーダンス変化を示す図である。
【図８】  標準型におけるインピーダンス変化と適正範囲との関係を示す図である。
【図９】  妊娠20週を基準にしたインピーダンスの変化率を示す図である。
【図１０】  インピーダンスの変化と変化率とからの判定表を示す図である。
【図１１】  インピーダンスの変化と体重増加とからの判定表を示す図である。
【図１２】  従来技術の組合せを用いた判定例の表示例を示す図である。
【図１３】  インピーダンスの変化率と体重増加とからの判定表を示す図である。
【図１４】  従来技術の組合せを用いた別の判定例の表示例を表す図である。
【図１５】  インピーダンスの変化と血圧とからの判定表を表す図である。
【図１６】  従来技術の組合せを用いた別の判定例の表示例を示す図である。
【図１７】  インピーダンスの変化率と血圧とからの判定表を表す図である。
【図１８】  従来技術の組合せを用いた別の判定例の表示例を示す図である。
【図１】
0004175603.tif 000002
【図２】
0004175603.tif 000003
【図３】
0004175603.tif 000004
【図４】
0004175603.tif 000005
【図５】
0004175603.tif 000006
【図６】
0004175603.tif 000007
【図７】
0004175603.tif 000008
【図８】
0004175603.tif 000009
【図９】
0004175603.tif 000010
【図１０】
0004175603.tif 000011
【図１１】
0004175603.tif 000012
【図１２】
0004175603.tif 000013
【図１３】
0004175603.tif 000014
【図１４】
0004175603.tif 000015
【図１５】
0004175603.tif 000016
【図１６】
0004175603.tif 000017
【図１７】
0004175603.tif 000018
【図１８】
0004175603.tif 000019